(57)【要約】      （修正有）【課題】使用者に応じて取り付け位置を調整できるスタンス位置矯正具を提供する。【解決手段】スタンス位置矯正具は、弾性材料で構成された環状線材２からなり、環状線材の横断面形状は、短辺に対して長辺が１．４倍以上の長さを有する矩形状である。一対のスタンス位置矯正具を、ゴルフシューズの各先端部に装着し、両手でクラブを水平に持ち、ボールの打ち出し方向に対して平行な位置に支持する。このクラブに、スタンス位置矯正具が重なるように、足の位置を調整する。【選択図】図２
0003169065.tif 000002
【実用新案登録請求の範囲】
【請求項１】
ゴルフシューズの足のつま先部分に着脱自在に外装される環状線材であって、
弾性材料で構成されているスタンス位置矯正具。
【請求項２】
前記環状線材は、装着されるゴルフシューズの色彩に対して補色の関係にある色彩を有している請求項１に記載のスタンス位置矯正具。
【請求項３】
前記環状線材は、装着されるゴルフシューズの有する色彩に対して、同色又は色相環において隣接する色彩である請求項１に記載のスタンス位置矯正具。
【請求項４】
前記環状線材の横断面形状は、短辺に対して長辺が１．４倍以上の長さを有する矩形状である請求項１〜３のいずれか１に記載のスタンス位置矯正具。
【請求項５】
前記環状線材は、ゴルフシューズの底部に接触する部分の横断面形状が、ゴルフシューズへ向けて山型となっている請求項１〜４のいずれか１に記載のスタンス位置矯正具。
【請求項６】
前記環状線材は、ゴルフシューズの甲の上に位置する部分が、内側へ向けて幅が一次的に漸減する請求項１〜５のいずれか１に記載のスタンス位置矯正具。
【請求項７】
前記環状線材は、線材の両端に設けられた一対のファスナーを有し、両端のファスナーを接続することによって、環状に形成されることを特徴とする請求項１〜５のいずれか１に記載のスタンス位置矯正具。
【考案の詳細な説明】
【技術分野】
【０００１】
本考案は、スタンス位置矯正具にかかり、より詳細には、容易にゴルフシューズに取り付けられるスタンス位置矯正具に関する。
【背景技術】
【０００２】
ゴルフ競技において、ティーアップする際、ボールを打ち出す方向を決定するためには、ボールに向かって立つ位置、つまりスタンスの取り方が重要な要素となる。ボールを所望の目標に対して正確に打ち出すためには、ボールに対してスクエアーなスタンスを採る必要があると言われている。 
また、このスタンスの採り方によって、打ち出されるボールの球筋を調整する場合もある。例えば、クローズドスタンスで打ち出せば、球筋はフックとなり、オープンスタンスで打ち出せば、球筋はスライスとなる。 
一方、ティーショットの際の球筋は、個人差があり、スクエアーにスタンスを取って打ち出した場合であっても、球筋がスライスになる競技者もいれば、フックとなってしまう競技者もある。このため、スライスになるい競技者がティーショットをする場合には、クローズドスタンスをとって、球筋が直線となるように矯正する場合がある。
【特許文献１】特開平１０−０７５８０３号
【考案の開示】
【考案が解決しようとする課題】
【０００３】
ボールに対する足の位置を明確に表示するための道具として、上記特許文献１では、ゴルフシューズ自体に直交する直線が施された考案が提案されている。しかし、既述のとおり、スタンス位置は競技者によって個人差があり、画一的に直線が描かれているゴルフシューズでは、競技者毎に正確なスタンスを採るために使用することはできないといった問題があった。 
本考案の目的は、使用者に応じて取り付け位置を調整できるスタンス位置矯正具を提供することにある。
【課題を解決するための手段】
【０００４】
以上のような問題を解決する本考案は、以下のような構成を有する。 
(１)  ゴルフシューズの足のつま先部分に着脱自在に外装される環状線材であって、
弾性材料で構成されているスタンス位置矯正具。
【０００５】
(２)  前記環状線材は、装着されるゴルフシューズの色彩に対して補色の関係にある色彩を有している上記（１）に記載のスタンス位置矯正具。
【０００６】
(３)  前記環状線材は、装着されるゴルフシューズの有する色彩に対して、同色又は色相環において隣接する色彩である上記（１）に記載のスタンス位置矯正具。
【０００７】
(４)  前記環状線材の横断面形状は、短辺に対して長辺が１．４倍以上の長さを有する矩形状である上記（１）〜(３)のいずれか１に記載のスタンス位置矯正具。
【０００８】
(５)  前記環状線材は、ゴルフシューズの底部に接触する部分の横断面形状が、ゴルフシューズへ向けて山型となっている上記（１）〜(４)のいずれか１に記載のスタンス位置矯正具。
【０００９】
(６)  前記環状線材は、ゴルフシューズの甲の上に位置する部分が、内側へ向けて幅が一次的に漸減する上記(１)〜（５）のいずれか１に記載のスタンス位置矯正具。
【００１０】
(７)  前記環状線材は、線材の両端に設けられた一対のファスナーを有し、両端のファスナーを接続することによって、環状に形成されることを特徴とする上記（１）〜（５）のいずれか１に記載のスタンス位置矯正具。
【考案の効果】
【００１１】
請求項１記載の考案によれば、左右のゴルフシューズに取り付けられたスタンス位置矯正具を一直線上に位置するように左右の足の位置を調整することによって、最適なスタンス位置を採ることができる。スタンス位置矯正具は環状であり、弾性材料で構成されているので、ゴルフシューズに対して取り付けられる位置や角度を任意に調整可能であり、使用者の意図する位置に適宜変更して取り付けることが可能である。また、弾性材料で構成されているため、ゴルフシューズを外側から締め付けることとなり、足とシューズとの一体感が増し、クラブのスイングが安定する。
【００１２】
請求項２記載の考案によれば、ゴルフシューズの有する色彩に対して補色の関係にある色彩を有しているので、視認が容易となり。スタンス位置の矯正が一層容易となる。 
請求項３記載の考案によれば、ゴルフシューズの色に対して同系統の色とすることによって、本考案のスタンス位置矯正具を目立たない状態で使用することができる。
【００１３】
請求項４記載の考案によれば、線材の横断面が矩形であるため、取り付け位置が容易に移動することなく、正確なスタンス位置に矯正することができる。 
請求項５記載の考案によれば、ゴルフシューズの底部に接触する部分の横断面形状が、底面へ向けて山形になっているので、底面に形成されている凹凸の凹み部分に山形の頂点部分が嵌り込み、線材の位置が容易に移動することがない。
【００１４】
請求項６記載の考案によれば、ゴルフシューズの甲に位置する部分が、足の内側に向けて幅か一次的に漸減するので、左右の足に取り付けられた線材の端辺部分の延長線を重ねることによって、足の開き角度を正確に矯正することが可能となる。 
請求項７に記載の考案によれば、ファスナーを外して一本の線材として、ゴルフシューズの所望の位置に取り付け、ファスナーを接続する。これにより、取り付け、取り外し作業が容易となる。
【考案を実施するための最良の形態】
【００１５】
以下、本考案の好適実施形態について、添付図面に基づいて詳細に説明する。図1は、本考案のスタンス位置矯正具１の平面図、図２は、同じく正面図である。線材２は、内側空間２０を有する還状に形成されており、横断面形状は、円形、多角形いずれでもよい。横断面形状は矩形に構成されていることが好ましい。この実施形態では、幅ｗは、厚さｔの１．５倍以上に構成されている。このように構成することによって、ゴルフシューズに取り付けられた本考案のスタンス位置矯正具１が、ゴルフシューズの表面で転がり、取付時に設定した取り付け位置から移動し、或いはゴルフシューズから離脱するといったトラブルが抑制される。 
このような線材２は、弾性材料で構成されており、例えば、ウレタン、ネオプレンゴム、シリコーンゴム、天然ゴムを用いることができる。図１に示されているように、環状線材２には、線材を横断する方向に線状の目印２１が表示されている。
【００１６】
図３は、本考案のスタンス位置矯正具１をゴルフシューズ３に取り付ける際の取り付け方法を示す図である。 
図３（Ａ）に示されているように、スタンス位置矯正具１を、弾性限界の範囲内で、外側へ拡張変形させた状態で、内側空間２０内にゴルフシューズ３のつま先を挿入する。図３（Ｂ）に示されているように、スタンス位置矯正具１は、ゴルフシューズ３の先端部３１に外装された状態となる。この際、スタンス位置矯正具１は、目印２１が、上側となり、足の甲の幅方向中心に位置するように取り付ける。
【００１７】
図４は、スタンス位置矯正具１の使用状態を示す摸式図である。スタンス位置矯正具１Ｒ、１Ｌは、左右のゴルフシューズ３Ｌ、３Ｒの先端部分に、それぞれ取り付けられる。スタンスした際の足の開き方は、競技者に応じて異なるため、競技者の足の開きに合わせた位置に、スタンス位置矯正具１Ｌを調整する。 
図４の例では、左足が開いているので、スタンス位置矯正具１Ｌを、足の内側を深く、外側が浅くなるように取り付ける。クラブ４を水平に持ち、クラブ４に左右のスタンス位置矯正具１Ｌ、１Ｒが重なるように足の位置を調節する。また、この際、クラブ４の延長線Ｌ２が、目標位置に向くように、クラブ４の向きを調整してあれば、ボールＢを打ち込む方向（直線Ｌ１）に対してスクエア（直線Ｌ１に対して延長線Ｌ２が平行）にスタンスを採った状態とすることができる。
【００１８】
一方、常にクローズドスタンスでショットを行なう競技者の場合には、右足に取り付けるスタンス位置矯正具１Ｒを浅く、左足に取り付けるスタンス位置矯正具１Ｌを深く取り付けることで、ボールＢに対してクローズドスタンスを採るように矯正することができる。 
この他、長さの異なるクラブ毎に、スタンスの幅を示した印を２箇所設け、各印にスタンス位置矯正具１Ｌ、１Ｒの目印２１を重ねることにより、各クラブに対して適したスタンスとなるように容易に矯正することができる。
【００１９】
図５は、他の構成例を示すスタンス位置矯正具１Ａの全体側面図である。環状線材２３Ａは、ゴルフシューズの甲の部分に配置される幅広部２２Ａと、同じく靴底部分に配置され幅広部２２Ａよりも幅の狭い幅狭部２３Ａとを有しており、幅狭部２３Ａの横断面形状は、山形に形成され、その頂点部２４Ａは、環の内側に向けられている。また、幅広部２２Ａの横断面形状は、長方形に形成されている。このようなスタンス位置矯正具１Ａをゴルフシューズに装着すると、幅狭部２３Ａの頂点部２４Ａが、ゴルフシューズの靴底に形成された凹凸の凹部に食い込む。これにより、ショット時や歩行時において、スタンス位置矯正具１Ａの装着位置が移動しないという効果を生ずる。
【００２０】
図６は、他の構成例を示すスタンス位置矯正具１Ｂの全体斜視図である。この構成例では、環状線材２Ｂは、横幅が一次的に変化し、最も幅が狭い部分である内側設置部２５Ｂと、最も幅が広い部分である外側設置部２６Ｂとを備えており、内側設置部２５Ｂから外側設置部２６Ｂの間で、横幅が一次的に漸次変化する構成となっている。
【００２１】
図７は、スタンス位置矯正具１Ｂをゴルフシューズ３Ｌ、３Ｒに装着した状態を示す平面図である。スタンス位置矯正具１Ｂは、両足のゴルフシューズ３Ｌ、３Ｒにそれぞれ装着される。この際、幅が最も狭い内側設置部２５Ｂが足の内側に、幅が最も広い外側設置部２６Ｂが足の外側に位置するように、装着する。 
この際、ゴルフシューズのつま先側に位置する端辺２８Ｂ、２７Ｂが、適正なスタンスを採った際に一直線Ｌ２上に位置するように、左右のスタンス位置矯正具１Ｂの装着位置を調整する。
【００２２】
図４に示されているように、クラブ４を水平に持ち、端辺２８Ｂ、２７Ｂをクラブ４に重ねることにより、同一直線状に端辺２８Ｂ、２７Ｂを配置させることができる。また、甲の幅方向中央部に、目印２１Ａを設け、各クラブ毎に、クラブの長さに応じたスタンス幅となるような印をクラブ毎に設けることにより、各クラブに応じた適正なスタンス幅を設定することができる。以上のような使用方法において、スタンス位置矯正具１Ｂの取り付け角度を調整することにより、足の開き角度αを適宜調整することができる。
【００２３】
図８は、他の構成例を示すスタンス位置矯正具１Ｃの全体斜視図である。この実施形態のスタンス位置矯正具１Ｃは、環状ではなく、１本の線材２Ｃで構成され、少なくとも両端部が幅広に構成されている。両端部には、面状ファスナー２９ｂＣ、２９ａＣが、片面と他方の面とにそれぞれ設けられており、各面状ファスナー２９ｂＣ、２９ａＣを互いに接合させることにより、環状に形成される。
【００２４】
他方の面状ファスナー２９ａＣは、長さ方向に広く設けられており、他方の面状ファスナー２９ｂＣを接合させる位置を調整できるように構成されている。このように、接合位置を調整することにより、環状に構成した際の環の大きさを調整することができ、フリーサイズの環状線材とすることができる。
【図面の簡単な説明】
【００２５】
【図１】本考案のスタンス位置矯正具の平面図である。
【図２】本考案のスタンス位置矯正具の正面図である。
【図３】本考案のスタンス位置矯正具をゴルフシューズに取り付ける際の取り付け方法を示す斜視図である。
【図４】スタンス位置矯正具の使用状態を示す平面図である。
【図５】スタンス位置矯正具の他の構成例を示す側面図である。
【図６】スタンス位置矯正具の他の構成例を示す全体斜視図である。
【図７】スタンス位置矯正具の使用状態を示す平面図である。
【図８】スタンス位置矯正具の他の構成例を示す全体斜視図である。
【符号の説明】
【００２６】
１：スタンス位置矯正具
２：環状線材
３：ゴルフシューズ
４：クラブ
Ｂ：ボール
【図１】
0003169065.tif 000003
【図２】
0003169065.tif 000004
【図３】
0003169065.tif 000005
【図４】
0003169065.tif 000006
【図５】
0003169065.tif 000007
【図６】
0003169065.tif 000008
【図７】
0003169065.tif 000009
【図８】
0003169065.tif 000010